(57)【要約】      （修正有）【課題】横架材からの足場板の取り外し作業を１人の作業者で効率よく行うことができる足場板用接続部材を提供する。【解決手段】接続本体２０と、上ピン部３０と、下ピン部３５と、可動係合部４０とを備え、可動係合部は、上溝孔部５０の第１上係止部と上ピン部３０及び下溝孔部５５の第１下係止部と下ピン部３５がそれぞれ係止されて横架材３に係合される係合位置と、上溝孔部の第２上係止部と上ピン部３０及び下溝孔部の第２下係止部と下ピン部３５がそれぞれ係止されて接続本体の鉤部２５の横架材への係着時に可動係合部の係合本体４１を係合位置へ移動させる待機位置と、上溝孔部の第３上係止部と上ピン部及び下溝孔部の第３下係止部と下ピン部３５がそれぞれ係止されて鉤部の開放部２６の開放が保持される保持位置との間で摺動される。【選択図】図３
0003212391.tif 000002
【実用新案登録請求の範囲】
【請求項１】
足場板の短辺部に複数突設され、２本の支柱間に架設された横架材に係着される接続部材であって、
基部（２１）と、前記基部の先端側に下方が開放した開放部が形成されて前記横架材の上部側に係着される鉤部（２５）とを有する接続本体（２０）と、
前記接続本体の前記基部の上側に突設された上ピン部（３０）と、
前記接続本体の前記基部の下側に突設された下ピン部（３５）と、
円弧状の板体からなり下端部に前記横架材の下部側に係合される係合片（４５）を有する係合本体（４１）と、前記係合本体の上部側に貫通した溝形状に形成されて前記上ピン部が嵌挿される上溝孔部（５０）と、前記係合本体の下部側に貫通した溝形状に形成されて前記下ピン部が嵌挿される下溝孔部（５５）とを有し、前記係合本体が前記上ピン部及び前記下ピン部に対して前記上溝孔部及び前記下溝孔部の各溝形状に沿って摺動可能である可動係合部（４０）とを備え、
前記上溝孔部は、第１上係止部（５１）と、前記第１上係止部の下側後方に上摺動部（５４）を介して連通された第２上係止部（５２）と、前記第２上係止部の下方に連通された第３上係止部（５３）とを有し、
前記下溝孔部は、前記第１上係止部に対応する第１下係止部（５６）と、前記第１下係止部の下側前方に下摺動部（５９）を介して連通された前記第上２係止部に対応する第２下係止部（５７）と、前記第２下係止部の下方に連通された前記第３上係止部に対応する第３下係止部（５８）とを有し、
前記可動係合部は、前記第１上係止部と前記上ピン部及び前記第１下係止部と前記下ピン部がそれぞれ係止されて前記横架材に係合される係合位置と、前記第２上係止部と前記上ピン部及び前記第２下係止部と前記下ピン部がそれぞれ係止されて前記鉤部の前記横架材への係着時に前記係合本体を前記係合位置へ移動させる待機位置と、前記第３上係止部と前記上ピン部及び前記第３下係止部と前記下ピン部がそれぞれ係止されて前記鉤部の前記開放部の開放が保持される保持位置との間で摺動される
ことを特徴とする足場板用接続部材。
【請求項２】
前記待機位置に配置された前記可動係合部の前記上摺動部が、前記足場板の板面方向と平行である請求項１に記載の足場板用接続部材。
【考案の詳細な説明】
【技術分野】
【０００１】
本考案は、２本の支柱間に架設された横架材に足場板を係着させるための足場板用接続部材に関する。
【背景技術】
【０００２】
一般に、建築物等の工事等に際しては、建築物の外周に仮設足場が設置される。この仮設足場は、複数本の支柱が所定間隔で配置され、各支柱間には長方形状の仮設足場板が架設されて複数階層の足場が形成される。このような仮設足場において、足場板は長方形状の短辺側に２つの鉤状の接続部材を有し、並列する２本の支柱間に取り付けられた横架材に２つの接続部材を係着させて架設される。
【０００３】
横架材への足場板の架設に際し、接続部材の係着状態が不用意に解除されないように、例えば、鉤状の接続本体と、接続本体に上下に可動するように取り付けられた可動係合部とを備え、可動係合部が開錠状態で保持されて、仮設足場の横架材に上方から係着させることにより、可動係合部を移動させて横架材に係合（把持）させる足場板用の接続部材が知られている（例えば、特許文献１参照）。
【０００４】
図１０に示すように、従来の足場板用接続部材１００では、接続本体１２０の後方位置に上下に２つのピン部１３０，１３５が設けられ、可動係合部１４０に接続本体１２０の上下２つのピン部１３０，１３５にそれぞれ係合される上部ガイド孔１５０と下部ガイド孔１５５とが設けられ、上部ガイド孔１５０の下端に足場板５側へ凹入された上凹部１５１が形成されているとともに、下部ガイド孔１５５の下端に上凹部１５１と反対方向へ凹入された下凹部１５６が形成されている。そして、図１０（ａ）に示すように、接続本体１２０の上下のピン部１３０，１３５が、上部ガイド孔１５０の上凹部１５１と下部ガイド孔１５５の下凹部１５６とに係止されることにより、可動係合部１４０の上端部１４６が接続本体１２０の鉤部１２５内へ突出されるとともに、可動係合部１４０の下端部１４５が鉤部１２５側へ突出されずに鉤部１２５が開放された状態で保持される。
【０００５】
そこで、図１０（ｂ）に示すように、横架材３の上方から接続部材１００を降下させることにより、接続本体１２０の鉤部１２５内へ突出された可動係合部１４０の上端部１４６が横架材３上部に押圧されて回動され、上下のピン部１３０，１３５と上下ガイド孔１５０，１５５の上下凹部１５１，１５６との係止状態が解除される。これにより、可動係合部１４０が上下のピン部１３０，１３５に上下ガイド孔１５０，１５５の上凹部１５１が係止されるまで自重で回動されて、その下端部１４５が横架材３の下方へ突出されるため、横架材３に対して可動係合部１４０を自動的に係合させることが可能となる。
【０００６】
しかしながら、上記の足場用接続部材では、横架材との係着時に可動係合部が自重で下方へ回動されるため、横架材から足場板を取り外す場合に、作業者が手動で可動係合部を係合が解除される位置で保持しておかなければならない。そのため、１つの足場板の取り外しに対して複数の作業者が必要となり、作業効率の悪さが問題であった。
【先行技術文献】
【特許文献】
【０００７】
【特許文献１】実開昭５０−４４８３９号公報
【考案の概要】
【考案が解決しようとする課題】
【０００８】
本考案は、前記の点に鑑みなされたものであって、横架材からの足場板の取り外し作業を１人の作業者で効率よく行うことができる足場板用接続部材を提供するものである。
【課題を解決するための手段】
【０００９】
すなわち、請求項１の考案は、足場板の短辺部に複数突設され、２本の支柱間に架設された横架材に係着される接続部材であって、基部（２１）と、前記基部の先端側に下方が開放した開放部が形成されて前記横架材の上部側に係着される鉤部（２５）とを有する接続本体（２０）と、前記接続本体の前記基部の上側に突設された上ピン部（３０）と、前記接続本体の前記基部の下側に突設された下ピン部（３５）と、円弧状の板体からなり下端部に前記横架材の下部側に係合される係合片（４５）を有する係合本体（４１）と、前記係合本体の上部側に貫通した溝形状に形成されて前記上ピン部が嵌挿される上溝孔部（５０）と、前記係合本体の下部側に貫通した溝形状に形成されて前記下ピン部が嵌挿される下溝孔部（５５）とを有し、前記係合本体が前記上ピン部及び前記下ピン部に対して前記上溝孔部及び前記下溝孔部の各溝形状に沿って摺動可能である可動係合部（４０）とを備え、前記上溝孔部は、第１上係止部（５１）と、前記第１上係止部の下側後方に上摺動部（５４）を介して連通された第２上係止部（５２）と、前記第２上係止部の下方に連通された第３上係止部（５３）とを有し、前記下溝孔部は、前記第１上係止部に対応する第１下係止部（５６）と、前記第１下係止部の下側前方に下摺動部（５９）を介して連通された前記第上２係止部に対応する第２下係止部（５７）と、前記第２下係止部の下方に連通された前記第３上係止部に対応する第３下係止部（５８）とを有し、前記可動係合部は、前記第１上係止部と前記上ピン部及び前記第１下係止部と前記下ピン部がそれぞれ係止されて前記横架材に係合される係合位置と、前記第２上係止部と前記上ピン部及び前記第２下係止部と前記下ピン部がそれぞれ係止されて前記鉤部の前記横架材への係着時に前記係合本体を前記係合位置へ移動させる待機位置と、前記第３上係止部と前記上ピン部及び前記第３下係止部と前記下ピン部がそれぞれ係止されて前記鉤部の前記開放部の開放が保持される保持位置との間で摺動されることを特徴とする足場板用接続部材に係る。
【００１０】
すなわち、請求項２の考案は、前記待機位置に配置された前記可動係合部の前記上摺動部が、前記足場板の板面方向と平行である請求項１に記載の足場板用接続部材に係る。
【考案の効果】
【００１１】
請求項１の考案に係る足場板用接続部材によると、足場板の短辺部に複数突設され、２本の支柱間に架設された横架材に係着される接続部材であって、基部と、前記基部の先端側に下方が開放した開放部が形成されて前記横架材の上部側に係着される鉤部とを有する接続本体と、前記接続本体の前記基部の上側に突設された上ピン部と、前記接続本体の前記基部の下側に突設された下ピン部と、円弧状の板体からなり下端部に前記横架材の下部側に係合される係合片を有する係合本体と、前記係合本体の上部側に貫通した溝形状に形成されて前記上ピン部が嵌挿される上溝孔部と、前記係合本体の下部側に貫通した溝形状に形成されて前記下ピン部が嵌挿される下溝孔部とを有し、前記係合本体が前記上ピン部及び前記下ピン部に対して前記上溝孔部及び前記下溝孔部の各溝形状に沿って摺動可能である可動係合部とを備え、前記上溝孔部は、第１上係止部と、前記第１上係止部の下側後方に上摺動部を介して連通された第２上係止部と、前記第２上係止部の下方に連通された第３上係止部とを有し、前記下溝孔部は、前記第１上係止部に対応する第１下係止部と、前記第１下係止部の下側前方に下摺動部を介して連通された前記第上２係止部に対応する第２下係止部と、前記第２下係止部の下方に連通された前記第３上係止部に対応する第３下係止部とを有し、前記可動係合部は、前記第１上係止部と前記上ピン部及び前記第１下係止部と前記下ピン部がそれぞれ係止されて前記横架材に係合される係合位置と、前記第２上係止部と前記上ピン部及び前記第２下係止部と前記下ピン部がそれぞれ係止されて前記鉤部の前記横架材への係着時に前記係合本体を前記係合位置へ移動させる待機位置と、前記第３上係止部と前記上ピン部及び前記第３下係止部と前記下ピン部がそれぞれ係止されて前記鉤部の前記開放部の開放が保持される保持位置との間で摺動されるため、足場板の取り付け作業のみならず、取り外し作業においても１人の作業者で行うことが可能となり、作業効率が格段に向上する。
【００１２】
請求項２の考案に係る足場板用接続部材によると、請求項１の考案において、前記待機位置に配置された前記可動係合部の前記上摺動部が、前記足場板の板面方向と平行であるため、第２上係止部と上ピン部との係止状態が安定して、横架材への係着前の可動係合部の誤作動の発生が抑制される。
【図面の簡単な説明】
【００１３】
【図１】支柱間の横架材に足場板が架設された仮設足場の要部の斜視図である。
【図２】図１の仮設足場の上面図である。
【図３】本考案の一実施形態に係る足場板用接続部材の側面図である。
【図４】可動係合部の正面図である。
【図５】可動係合部が待機位置である足場板用接続部材の側面図である。
【図６】横架材へ係着直前の足場板用接続部材の側面図である。
【図７】可動係合部が待機位置から移動中の足場板用接続部材の側面図である。
【図８】可動係合部が係合位置である足場板用接続部材の側面図である。
【図９】可動係合部が保持位置である足場板用接続部材の側面図である。
【図１０】従来の足場板用接続部材の側面図である。
【考案を実施するための形態】
【００１４】
図１，２に示す仮設足場１は、並列する２本の支柱２，２が所定間隔で直列状に配置され、各２本の支柱２，２間に横架材３が取り付けられて、２つの横架材３，３間に足場板５が架設される。この足場板５は、長方形状に形成され、各短辺側にそれぞれ複数（図示の例では２つずつ）の足場板用接続部材１０が突設されている。図１，２において、符号２ａは支柱２のくさび受け、３ａは横架材３の両端に設けられて支柱２のくさび受け２ａに楔着されるくさび部である。なお、この仮設足場１では図示を省略しているが、直列状に配置された支柱２，２間に手摺材や筋交い等が適宜に設置される。
【００１５】
足場板用接続部材１０は、図３に示すように、接続本体２０と、上ピン部３０と、下ピン部３５と、可動係合部４０とを備える。接続本体２０は、基部２１と、基部２１の先端側に下方が開放した開放部２６が形成されて横架材３の上部側に係着される鉤部２５とを有する。この接続本体２０の鉤部２５は、横架材３の外周形状に対応した円弧状の内周係着部２７を有する側面視略逆Ｕ状からなり、開放部２６の開放幅が横架材３の直径より大きく形成される。図３において、符号６は足場板５の短辺側端部に設けられて基部２１が固設される接続部材取付部である。
【００１６】
上ピン部３０は、図３に示すように、接続本体２０の基部２１の上側に突設された棒状部材であって、上軸部３１と、上軸部３１の先端に設けられた該上軸部３１の直径より大径の円盤状の上頭部３２とを有する。また、下ピン部３５は、接続本体２０の基部２１の下側、すなわち上ピン部３０の下方側に突設された棒状部材であって、下軸部３６と、下軸部３６の先端に設けられた該下軸部３６の直径より大径の円盤状の下頭部３７とを有する。
【００１７】
可動係合部４０は、図３，４に示すように、接続本体２０の基部２１に配置される部材であって、係合本体４１と、上溝孔部５０と、下溝孔部５５とを有する。係合本体４１は、円弧状の板体からなり、下端部に横架材３の下部側に係合される係合片４５と、上端部に横架材３の上部側と当接される当接部４６とを有する。この係合本体４１は、係合片４５から当接部４６に亘って横架材３の外周形状に対応して湾曲された湾曲内周部４２を有している。係合本体４１が湾曲内周部４２を有することにより、後述する回動時に横架材３の外周に沿って円滑に移動させることができる。
【００１８】
上溝孔部５０は、係合本体４１の上部側に貫通した溝形状に形成されて上ピン部３０が嵌挿される部位である。上溝孔部５０では、溝幅が上ピン部３０の上軸部３１の直径より大きく、かつ上頭部３２の直径より小さく形成される。そのため、上溝孔部５０が上ピン部３０から抜けることがない。
【００１９】
この上溝孔部５０は、嵌挿された上ピン部３０の上軸部３１と複数個所で係止される。すなわち、上ピン部３０の上軸部３１との第１上係止部５１と、第１上係止部５１の下側後方に上摺動部５４を介して連通された第２上係止部５２と、第２上係止部５２の下方に連通された第３上係止部５３とを有する。図４に示す実施形態の上溝孔部５０は、側面視略倒Ｓ字状の溝形状であって、第１上係止部５１が上下に延設された上側の縦孔部分であり、その下端部から下側後方（図示では右下方向）へ直線的に延設された傾斜状の長孔部分が上摺動部５４に相当し、この上摺動部５４の下端部に連接された下側の縦孔部分の上部（屈曲部分）が第２上係止部５２、下部が第３上係止部５３にそれぞれ相当する。
【００２０】
下溝孔部５５は、係合本体４１の下部側、すなわち上溝孔部５０の下方側に貫通した溝形状に形成されて下ピン部３５が嵌挿される部位である。下溝孔部５５では、溝幅が下ピン部３５の下軸部３６の直径より大きく、かつ下頭部３７の直径より小さく形成される。そのため、下溝孔部５５が下ピン部３５から抜けることがない。
【００２１】
この下溝孔部５５は、上溝孔部５０と上ピン部３０との係止位置と対応するように、嵌挿された下ピン部３５の下軸部３６と複数個所で係止される。すなわち、第１上係止部５１に対応する下ピン部３５の下軸部３６との第１下係止部５６と、第１下係止部５６の下側前方に下摺動部５９を介して連通された第２上係止部５２に対応する第２下係止部５７と、第２下係止部５７の下方に連通された第３上係止部５３に対応する第３下係止部５８とを有する。図４に示す実施形態の下溝孔部５５は、側面視略倒Ｚ字状の溝形状であって、第１下係止部５６が上方へ突出した孔部分であり、その下端部から下側前方（図示では左下方向）へ延設された湾曲状の長孔部分が下摺動部５９に相当し、この下摺動部５９の下端部に連接された下側前方（図示では左下方向）への傾斜孔部分の上部（屈曲部分）が第２下係止部５７、下部が第３下係止部５８にそれぞれ相当する。
【００２２】
上記可動係合部４０は、図５〜図９に示すように、可動係合部４０が上ピン部３０及び下ピン部３５に対して上溝孔部５０及び下溝孔部５５の各溝形状に沿って係合位置と、待機位置と、保持位置との間で摺動される。ここで、図５〜図９を用いて、横架材３に対する足場板用接続部材１０の係着手順とともに、係合位置、待機位置、保持位置について説明する。
【００２３】
まず、図５に示すように、足場板用接続部材１０では、横架材３に対して係着させる前に可動係合部４０が待機位置に配置される。この待機位置は、第２上係止部５２と上ピン部３０及び第２下係止部５７と下ピン部３５がそれぞれ係止されて、鉤部２５の横架材３への係着時に係合本体４１を後述する係合位置へ移動させる位置である。待機位置の可動係合部４０では、係合片４５が接続本体２０の鉤部２５側へ突出されずに開放部２６を完全に開放させるとともに、当接部４６が接続本体２０の鉤部２５の内周係着部２７より内側へ突出される。
【００２４】
続いて、図６に示すように、横架材３の上方から足場板５とともに足場板用接続部材１０が降下されて、横架材３が鉤部２５内に配置され、鉤部２５の内周係着部２７より内側へ突出された係合本体４１の当接部４６が横架材３の上部側に当接される。そして、図７に示すように、さらに足場板用接続部材１０が降下されることにより、係合本体４１の当接部４６が横架材３に押し上げられて第２上係止部５２と上ピン部３０との係止状態が解除され、可動係合部４０は上ピン部３０に対して上摺動部５４が摺動されながら下方への回動を開始する。
【００２５】
ここで、待機位置に配置された可動係合部４０では、図示のように、上摺動部５４が足場板５の板面方向Ｄと略平行、すなわち地面に対して略水平状態となっている。そのため、第２上係止部５２と上ピン部３０との係止状態が安定して、作業時の小さな振動や、可動係合部４０に軽く接触する等のわずかな衝撃程度では係止が解除されない。つまり、係合本体４１の当接部４６が横架材３に確実に押し上げられることによって係合が解除されるため、横架材３への係着前に可動係合部４０が不用意に待機位置から移動される等の誤作動の発生が抑制される。なお、上摺動部５４の水平（平行）状態は、若干の傾斜状態も含まれる。
【００２６】
第２上係止部５２と上ピン部３０とが係止解除されると、図８に示すように、可動係合部４０は下方へ回動されて、係合位置へと移動される。この係合位置は、第１上係止部５１と上ピン部３０及び第１下係止部５６と下ピン部３５がそれぞれ係止されて、接続本体２０と可動係合部４０とによって横架材３に係合される位置である。係合位置では、係合本体４１の係合片４５が鉤部２５側へ開放部２６の一部を遮断するように突出されて、鉤部２５内に配置された横架材３の下部側に係着される。そのため、接続本体の鉤部２５と可動係合部４０の係合片４５とは、横架材３に対してその外周を把持するように係合される。
【００２７】
係合位置の可動係合部４０では、手動で待機位置方向（上方）へ回動させないと第１上係止部５１と上ピン部３０及び第１下係止部５６と下ピン部３５のそれぞれの係合が解除されない。そのため、当該接続部材１０が横架材３に対して確実に接続されて、脱落等のおそれがない。
【００２８】
次に、足場板用接続部材１０と横架材３との接続を解除する場合、図９に示すように、可動係合部４０が係合位置から保持位置へ移動される。この保持位置は、第３上係止部５３と上ピン部３０及び第３下係止部５８と下ピン部３５がそれぞれ係止されて、鉤部２５の開放部２６の開放が保持される位置である。保持位置の可動係合部４０では、係合片４５が接続本体２０の鉤部２５側へ突出されずに開放部２６を完全に開放させるとともに、当接部４６が接続本体２０の鉤部２５の内周係着部２７より内側へ突出されて横架材３と当接される。
【００２９】
可動係合部４０を保持位置へ移動させる場合には、接続本体２０の鉤部２５と横架材３とを係着させた状態、または横架材３に対して接続本体２０をわずかに浮かせた状態で、係合本体４１を第３上係止部５３と上ピン部３０及び第３下係止部５８と下ピン部３５がそれぞれ係止されるまで上方へ回動させる。この時、係合本体４１の当接部４６が鉤部２５の内周係着部２７より内側へ突出されて、横架材３との当接により上方へ押圧されるが、第３上係止部５３と上ピン部３０及び第３下係止部５８と下ピン部３５がそれぞれ係止されていることにより、係合本体４１は回動されずに停止状態とされる。そのため、接続本体２０の開放部２６が完全に開放されたまま保持される。
【００３０】
このように、本考案の足場板用接続部材では、待機位置に配置された可動係合部と横架材との接触によって可動係合部が自動的に係合位置へ移動される。そのため、作業者は可動係合部を横架材に対して上方から降下させて係着させるだけで、極めて容易かつ確実に足場板を接続させることができる。また、足場板を取り外す場合には、可動係合部を保持位置へ移動させることによって、接続本体の鉤部（開放部）の開放が保持されるため、作業者が手動で可動係合部の開放状態を保持する必要がなく、他の接続部材の解除作業を行うことが可能となる。従って、足場板の取り付け作業のみならず、取り外し作業においても１人の作業者で行うことが可能となり、作業効率が格段に向上する。
【産業上の利用可能性】
【００３１】
以上のとおり、本考案の足場板用接続部材は、１人の作業者によって足場板の取り付け及び取り外しを効率よく行うことができる。そのため、従来の足場板容接続部材の代替として有望である。
【符号の説明】
【００３２】
１      仮設足場
２      支柱
２ａ    くさび受け
３      横架材
３ａ    くさび部材
５      足場板
６      接続部材取付部
１０    足場板用接続部材
２０    接続本体
２１    基部
２５    鉤部
２６    開放部
２７    内周係着部
３０    上ピン部
３１    上軸部
３２    上頭部
３５    下ピン部
３６    下軸部
３７    下頭部
４０    可動係合部
４１    係合本体
４２    湾曲内周部
４５    係合片
４６    当接部
５０    上溝孔部
５１    第１上係止部
５２    第２上係止部
５３    第３上係止部
５４    上摺動部
５５    下溝孔部
５６    第１下係止部
５７    第２下係止部
５８    第３下係止部
５９    下摺動部
１００  従来の足場板用接続部材
１２０  接続本体
１２５  鉤部
１３０，１３５  ピン部
１４０  可動係合部
１４５  下端部
１４６  上端部
１５０  上部ガイド孔
１５１  上凹部
１５５  下部ガイド孔
１５６  下凹部
Ｄ      板面方向
【図１】
0003212391.tif 000003
【図２】
0003212391.tif 000004
【図３】
0003212391.tif 000005
【図４】
0003212391.tif 000006
【図５】
0003212391.tif 000007
【図６】
0003212391.tif 000008
【図７】
0003212391.tif 000009
【図８】
0003212391.tif 000010
【図９】
0003212391.tif 000011
【図１０】
0003212391.tif 000012